(57)【要約】【課題】揺動式の断熱扉を備える貯蔵庫において、貯蔵室に対する収容物の出し入れを容易化しながら、突出部による断熱性能の向上を実現できる貯蔵庫を提供する。【解決手段】断熱扉４の後壁に突出形成される突出部２８を、上下の枠部２９・３０と、先端および基端の枠部３１・３２とで四角枠状に形成する。断熱扉４を閉塞位置にしたとき、前面開口３から貯蔵室２に進入した突出部２８と貯蔵庫本体１との間には周回状の狭隘部３９が形成されるようになっている。左右一対の棚柱９・９の左右内法間隔で規定される領域を出し入れ領域Ｒとしたとき、平面視における開放限界位置にある断熱扉４の基端枠部３２の突出先端が出し入れ領域Ｒと重複しないように、基端枠部３２の突出寸法Ｔ４を設定し、しかも上下の枠部２９・３０の突出寸法Ｔ１・Ｔ２および先端枠部３１の突出寸法Ｔ３を、基端枠部３２の突出寸法Ｔ４に比べて大きく設定する。【選択図】図１
2020176731.tif 000002
【特許請求の範囲】
【請求項１】
前面開口（３）を有する貯蔵室（２）を区画する貯蔵庫本体（１）と、
貯蔵庫本体（１）に固定されたヒンジ（１６）で揺動自在に支持され、前面開口（３）を開閉する断熱扉（４）と、
貯蔵庫本体（１）または断熱扉（４）に固定され、断熱扉（４）が閉塞位置から９０度を超える角度に設定された開放角度（α）まで揺動開放されたとき、断熱扉（４）の揺動を規制して、該断熱扉（４）の開放限界位置を規定するストッパー（２５）と、
貯蔵室（２）の左右壁面に設けられ、棚板（８）を係止保持する左右一対の棚柱（９・９）と、
を備え、
断熱扉（４）は、該断熱扉（４）の後壁周縁に装着され、貯蔵庫本体（１）の本体前面（６）に磁気吸着して貯蔵庫本体（１）と断熱扉（４）との間のシール部を形成する四角枠状のマグネットパッキン（２４）と、該マグネットパッキン（２４）の内方において、後方に向かって突出形成される突出部（２８）とを備えており、
突出部（２８）は、断熱扉（４）の上下の辺部と平行に伸びる上枠部（２９）および下枠部（３０）と、断熱扉（４）の揺動先端と揺動基端の辺部と平行に伸びる先端枠部（３１）および基端枠部（３２）とで、前面開口（３）より僅かに小さい外郭形状を有する四角枠状に形成され、断熱扉（４）を閉塞位置にしたとき、前面開口（３）から貯蔵室（２）に進入した突出部（２８）と貯蔵庫本体（１）との間には周回状の狭隘部（３９）が形成されるようになっており、
左右一対の棚柱（９・９）の左右内法間隔で規定される領域を出し入れ領域（Ｒ）としたとき、平面視における開放限界位置にある断熱扉（４）の基端枠部（３２）の突出先端が出し入れ領域（Ｒ）と重複しないように、基端枠部（３２）の突出寸法（Ｔ４）が設定されており、しかも上下の枠部（２９・３０）の突出寸法（Ｔ１・Ｔ２）および先端枠部（３１）の突出寸法（Ｔ３）が、基端枠部（３２）の突出寸法（Ｔ４）に比べて大きく設定されていることを特徴とする貯蔵庫。
【請求項２】
断熱扉（４）を開放限界位置としたときに、平面視で上下の枠部（２９・３０）が出し入れ領域（Ｒ）と重複することを防ぐことを目的として、これら上下の枠部（２９・３０）に、基端枠部（３２）に向って突出寸法（Ｔ１・Ｔ２）が漸次小さくなる傾斜逃げ部（４４）が設けられている請求項１に記載の貯蔵庫。
【請求項３】
各枠部（２９〜３２）の断面は、内外一対の突出壁（３３・３４）と、一対の突出壁（３３・３４）の突出先端同士を連結する平坦壁からなる連結壁（３５）とで断面コ字状に形成されており、
上枠部（２９）および下枠部（３０）は、先端枠部（３１）側に設けられ、突出寸法（Ｔ１・Ｔ２）が一定な直線部（４３）と、基端枠部（３２）側に設けられ、直線部（４３）の一端から基端枠部（３２）に向かって突出寸法（Ｔ１・Ｔ２）が漸次小さくなる傾斜逃げ部（４４）とを備える対称形状に形成されており、
傾斜逃げ部（４４）の基端枠部（３２）側の端部の突出寸法（Ｔ５・Ｔ６）と、基端枠部（３２）の突出寸法（Ｔ４）とが同一に形成されて、各傾斜逃げ部（４４）の連結壁（３５ｂ）と基端枠部（３２）の連結壁（３５ｄ）とが滑らかに連続されている請求項２に記載の貯蔵庫。
【請求項４】
直線部（４３）の連結壁（３５ａ）を延長した仮想延長線（Ｅ）と、傾斜逃げ部（４４）の連結壁（３５ｂ）とで挟まれる傾斜角度（β）が、開放角度（α）から９０度を減じた角度に設定されている請求項３に記載の貯蔵庫。
【発明の詳細な説明】
【技術分野】
【０００１】
本発明は、断熱箱体からなる貯蔵庫本体の前面開口が、揺動式の断熱扉で開閉される貯蔵庫において、断熱性能の向上を図る技術に関する。本発明における貯蔵庫とは、冷蔵庫、冷凍庫、保冷庫、保温庫、温蔵庫を含む概念である。
【背景技術】
【０００２】
この種の貯蔵庫では、断熱扉の後壁周縁にマグネットパッキンが装着されており、断熱扉が閉塞位置にあるとき、マグネットパッキンが貯蔵庫本体の本体前面に磁気吸着して貯蔵庫本体と断熱扉との間にシール部が形成される。また、断熱扉の後壁に設けられた突出部が貯蔵庫本体の前面開口から貯蔵室に進入することにより、貯蔵室の内面壁と突出部の突出壁とが小さな隙間を介して正対して、貯蔵室とシール部との間に狭隘部が形成される。この狭隘部は空気断熱層のように作用するので、シール部における貯蔵室の内部空気と外気との熱交換が抑制され、貯蔵庫の断熱性能が向上する。なお、狭隘部はその形成長さが長いほど空気断熱作用が増強され断熱性能がより向上する。
【０００３】
上記のような断熱性能向上のための突出部を断熱扉に備えた貯蔵庫は、例えば特許文献１に開示されている。特許文献１の貯蔵庫では、断熱扉は断面コ字状の金属製の外装板と、外装板の左右両側に装着される合成樹脂製の一対のキャップと、後開口に装着される合成樹脂製の内装板とで箱状の外殻体が構成され、外殻体の内部に断熱材が充填されている。内装板の後壁周縁には四角枠状のパッキンが固定され、該パッキンの内方に、四角枠状の突壁（突出部）が後向きに立ち上がり形成されている。同様の突壁を備える貯蔵庫は、特許文献２にも開示されている。
【先行技術文献】
【特許文献】
【０００４】
【特許文献１】特開２０１２−１２２６２８号公報
【特許文献２】特開２０１０−１９６９１８号公報
【発明の概要】
【発明が解決しようとする課題】
【０００５】
貯蔵庫においては、断熱扉が開放されたときに隣接配置された貯蔵庫あるいは建物の側壁面等に断熱扉が衝撃するのを防止するために、閉塞位置から約１００度程度揺動開放された位置（以下、適宜に開放限界位置と記す。）で断熱扉の揺動を規制するストッパーが設けられることが多い。そのため、特許文献１および２の貯蔵庫の突壁の突出寸法を、断熱性能の向上を目的として単に大きくしただけでは、断熱扉が前記開放限界位置にあるとき、その突壁は正面視における出入口（前面開口）に重複するので、突壁が邪魔になって貯蔵室に対する収容物の出し入れが困難となる。
【０００６】
本発明は、揺動式の断熱扉を備える貯蔵庫において、貯蔵室に対する収容物の出し入れを容易化しながら、突出部による断熱性能の向上を実現できる貯蔵庫を提供することを目的とする。
【課題を解決するための手段】
【０００７】
本発明の貯蔵庫は、前面開口３を有する貯蔵室２を区画する貯蔵庫本体１と、貯蔵庫本体１に固定されたヒンジ１６で揺動自在に支持され、前面開口３を開閉する断熱扉４と、貯蔵庫本体１または断熱扉４に固定され、断熱扉４が閉塞位置から９０度を超える角度に設定された開放角度αまで揺動開放されたとき、断熱扉４の揺動を規制して、該断熱扉４の開放限界位置を規定するストッパー２５と、貯蔵室２の左右壁面に設けられ、棚板８を係止保持する左右一対の棚柱９・９とを備える。断熱扉４は、該断熱扉４の後壁周縁に装着され、貯蔵庫本体１の本体前面６に磁気吸着して貯蔵庫本体１と断熱扉４との間のシール部を形成する四角枠状のマグネットパッキン２４と、該マグネットパッキン２４の内方において、後方に向かって突出形成される突出部２８とを備えている。突出部２８は、断熱扉４の上下の辺部と平行に伸びる上枠部２９および下枠部３０と、断熱扉４の揺動先端と揺動基端の辺部と平行に伸びる先端枠部３１および基端枠部３２とで、前面開口３より僅かに小さい外郭形状を有する四角枠状に形成され、断熱扉４を閉塞位置にしたとき、前面開口３から貯蔵室２に進入した突出部２８と貯蔵庫本体１との間には周回状の狭隘部３９が形成されるようになっている。そして、左右一対の棚柱９・９の左右内法間隔で規定される領域を出し入れ領域Ｒとしたとき、平面視における開放限界位置にある断熱扉４の基端枠部３２の突出先端が出し入れ領域Ｒと重複しないように、基端枠部３２の突出寸法Ｔ４が設定されており、しかも上下の枠部２９・３０の突出寸法Ｔ１・Ｔ２および先端枠部３１の突出寸法Ｔ３が、基端枠部３２の突出寸法Ｔ４に比べて大きく設定されていることを特徴とする。
【０００８】
断熱扉４を開放限界位置としたときに、平面視で上下の枠部２９・３０が出し入れ領域Ｒと重複することを防ぐことを目的として、これら上下の枠部２９・３０に、基端枠部３２に向って突出寸法Ｔ１・Ｔ２が漸次小さくなる傾斜逃げ部４４が設けられている。
【０００９】
各枠部２９〜３２の断面は、内外一対の突出壁３３・３４と、一対の突出壁３３・３４の突出先端同士を連結する平坦壁からなる連結壁３５とで断面コ字状に形成されており、上枠部２９および下枠部３０は、先端枠部３１側に設けられ、突出寸法Ｔ１・Ｔ２が一定な直線部４３と、基端枠部３２側に設けられ、直線部４３の一端から基端枠部３２に向かって突出寸法Ｔ１・Ｔ２が漸次小さくなる傾斜逃げ部４４とを備える対称形状に形成されており、傾斜逃げ部４４の基端枠部３２側の端部の突出寸法Ｔ５・Ｔ６と、基端枠部３２の突出寸法Ｔ４とが同一に形成されて、各傾斜逃げ部４４の連結壁３５ｂと基端枠部３２の連結壁３５ｄとが滑らかに連続されている。
【００１０】
直線部４３の連結壁３５ａを延長した仮想延長線Ｅと、傾斜逃げ部４４の連結壁３５ｂとで挟まれる傾斜角度βが、開放角度αから９０度を減じた角度に設定されている。
【発明の効果】
【００１１】
本発明に係る貯蔵庫では、貯蔵庫本体１と協同して周回状の狭隘部３９を形成する突出部２８を、上下の枠部２９・３０と、先端および基端の枠部３１・３２とで四角枠状に形成する。そのうえで、左右一対の棚柱９・９の左右内法間隔で規定される領域を出し入れ領域Ｒとしたとき、平面視における開放限界位置にある断熱扉４の基端枠部３２の突出先端が出し入れ領域Ｒと重複しないように、基端枠部３２の突出寸法Ｔ４を設定し、しかも上下の枠部２９・３０の突出寸法Ｔ１・Ｔ２および先端枠部３１の突出寸法Ｔ３を、基端枠部３２の突出寸法Ｔ４に比べて大きく設定するようにした。このように、基端枠部３２の突出寸法Ｔ４を、基端枠部３２の突出先端が出し入れ領域Ｒと重複しない寸法に設定すると、収納物の出し入れのときに、突出部２８（基端枠部３２）が邪魔になるのを解消できる。加えて、基端枠部３２の突出寸法Ｔ４に比べて、上下の枠部２９・３０および先端枠部３１の突出寸法Ｔ１・Ｔ２・Ｔ３を大きく形成すると、基端枠部３２を除く部分の狭隘部３９の形成長さを長くして、当該狭隘部３９の空気断熱作用を増強できる。以上のように、本発明によれば、収納物の出し入れに大きく影響を及ぼす基端枠部３２の突出寸法Ｔ４と、収納物の出し入れに影響を及ぼしにくい上下の枠部２９・３０および先端枠部３１の突出寸法Ｔ１・Ｔ２・Ｔ３とを前記寸法関係に設定して突出部２８の形状を好適化することにより、貯蔵室２に対する収容物の出し入れを容易化しながら、突出部２８による断熱性能の向上を実現できる。
【００１２】
断熱扉４を開放限界位置としたときに、平面視で上下の枠部２９・３０が出し入れ領域Ｒと重複することを防ぐことを目的として、これら上下の枠部２９・３０に、基端枠部３２に向って突出寸法Ｔ１・Ｔ２が漸次小さくなる傾斜逃げ部４４が設けられていると、上下の枠部２９・３０の高さ位置においても、突出部２８（上下の枠部２９・３０）が邪魔になるのを解消して、突出部２８の上下方向の全体にわたって貯蔵室２に対する収容物の出し入れを容易化できる。また、基端枠部３２寄りを四角状に大きく切欠いて、上下の枠部２９・３０が出し入れ領域Ｒと重複するのを防ぐ場合に比べて、傾斜逃げ部４４で狭隘部３９を形成できる分、断熱性能の向上を図ることができる。
【００１３】
各枠部２９〜３２の断面は、内外一対の突出壁３３・３４と、一対の突出壁３３・３４の突出先端同士を連結する平坦壁からなる連結壁３５とで断面コ字状に形成されており、上枠部２９および下枠部３０は、先端枠部３１側に設けられ、突出寸法Ｔ１・Ｔ２が一定な直線部４３と、基端枠部３２側に設けられ、直線部４３の一端から基端枠部３２に向かって突出寸法Ｔ１・Ｔ２が漸次小さくなる傾斜逃げ部４４とを備える対称形状に形成されており、傾斜逃げ部４４の基端枠部３２側の端部の突出寸法Ｔ５・Ｔ６と、基端枠部３２の突出寸法Ｔ４とが同一に形成され、各傾斜逃げ部４４の連結壁３５ｂと基端枠部３２の連結壁３５ｄとが滑らかに連続されているものとできる。これによれば、各傾斜逃げ部４４と基端枠部３２との連続部分に段差が形成されるのを解消して、断熱扉４近傍における貯蔵室２への収納物の出し入れをスムーズに行うことができる。
【００１４】
直線部４３の連結壁３５ａを延長した仮想延長線Ｅと、傾斜逃げ部４４の連結壁３５ｂとで挟まれる傾斜角度βが、開放角度αから９０度を減じた角度に設定されていると、断熱扉４を開放限界位置にしたときの平面視において、傾斜逃げ部４４の連結壁３５ｂの伸び方向と貯蔵庫本体１の前後方向とを略平行にできる。これにより、基端枠部３２の突出寸法Ｔ４を基端枠部３２の突出先端が出し入れ領域Ｒと重複する寸法よりも僅かに小さい寸法に設定した場合に、上下の枠部２９・３０が出し入れ領域Ｒと重複するのを確実に回避しつつ、傾斜逃げ部４４の逃がし度合いを最小化できるので、上下の枠部２９・３０と貯蔵庫本体１とでより大きな狭隘部３９を形成して断熱性能のさらなる向上を図ることができる。
【図面の簡単な説明】
【００１５】
【図１】本発明に係る貯蔵庫の要部を示す横断平面図であり、断熱扉を開放限界まで揺動させた状態を示している。
【図２】貯蔵庫の全体を示す正面図である。
【図３】貯蔵庫の要部を示す横断平面図であり、断熱扉が閉塞位置にある状態を示している。
【図４】断熱扉の斜視図である。
【図５】断熱扉が開放限界位置にあるときの貯蔵庫の縦断側面図である。
【発明を実施するための形態】
【００１６】
（実施例）  図１から図５に、本発明の貯蔵庫を業務用の冷蔵庫に適用した実施例を示す。本実施例における前後、左右、上下とは、図２から図４に示す交差矢印と、各矢印の近傍に表記した前後、左右、上下の表示に従う。図２において冷蔵庫は、縦長四角箱状の冷蔵庫本体（貯蔵庫本体）１と、冷蔵庫本体１で区画される冷蔵室（貯蔵室）２の前面開口３を開閉する断熱扉４とを備える。冷蔵庫本体１の前面の上下中途部には、冷蔵庫本体１を構成する一対の側壁を連結する左右方向に伸びる横桟５が固定されており、冷蔵庫本体１と横桟５とで上下一対の矩形状の前面開口３・３が形成されている。冷蔵庫本体１の前面と横桟５の前面とで構成される本体前面６は面一状になっている。
【００１７】
冷蔵庫本体１は、内箱と外箱、および両箱間に充填される断熱材で、断熱箱体として構成されている。冷蔵室２には、通気可能な複数の棚板８が多段状に配置されており、該棚板８に食材や食材を収納したトレイあるいは容器等の収容物が載置できる。冷蔵室２の左右壁面には前後一対の棚柱９・９がそれぞれ設けられており、棚板８はその左右端が各棚柱９で係止保持されている。各棚柱９は冷蔵室２の左右壁面から内方に向けて突出している。そのため、冷蔵室２に対して収容物を出し入れ可能な出し入れ領域Ｒは、左右一対の棚柱９・９の左右内法間隔で規定される（図１参照）。
【００１８】
冷蔵庫本体１の上部には機械室１０が配置されており、冷凍機器を構成する圧縮機１１と、凝縮器１２と、凝縮器１２用のファン１３などが機械室１０に配置されている。また、冷凍機器を構成する蒸発器１４は冷蔵室２内の循環空気流を形成する循環ファン１５とともに冷蔵室２の天面に配置されている。
【００１９】
一対の前面開口３のそれぞれに断熱扉４が設けられており、各断熱扉４は冷蔵庫本体１に固定した上下一対のヒンジ１６で揺動開閉自在に支持されている。図３に示すように各ヒンジ１６は断熱扉４側に向かって伸びるヒンジ軸１７を備え、同軸１７が断熱扉４の上下壁の右端を軸支しており、断熱扉４は正面視における左側が揺動先端側となり、右側が揺動基端側となるように揺動開閉自在に支持される。正面視における断熱扉４は前面開口３よりもひとまわり大きく形成されており（図２参照）、後面が開口する四角箱状の外装板２０と、外装板２０の開口を塞ぐ内装板２１と、外装板２０と内装板２１とで形成される中空箱体の内部空間に充填される断熱材２２などで構成されている。外装板２０はステンレス板材の折り曲げ成形品からなり、中空箱体の前壁、上下壁、および左右壁を構成しており、内装板２１はプラスチック成型品からなり、中空箱体の後壁を構成している。断熱材２２は中空箱体の形成後に発泡充填される。断熱扉４の揺動先端側（左側）には、外装板２０の前壁と左壁に跨るように断熱扉４を開閉操作するためのハンドル２３が固定されている。
【００２０】
図３および図４に示すように、内装板２１の外面周縁（断熱扉４の後壁周縁）には、冷蔵庫本体１と断熱扉４との間のシール部を形成するマグネットパッキン２４が四角枠状に装着されている。断熱扉４が閉塞位置にあるとき、マグネットパッキン２４が本体前面６に磁気吸着して冷蔵庫本体１と断熱扉４との隙間をシールし冷蔵室２が密閉される。また、マグネットパッキン２４の磁気吸着力により断熱扉４が閉塞位置に保持される。マグネットパッキン２４は不図示の装着構造で着脱自在に装着されており、清掃時等に断熱扉４から分離することができる。
【００２１】
図１に示すように、ヒンジ１６近傍の外装板２０の下壁には、下向きに突出するように断熱扉４の開放限界を規定するストッパー２５がそれぞれ固定されており、断熱扉４が閉塞位置から９０度を超える角度に設定された開放角度αまで揺動開放されたとき、ストッパー２５がヒンジ１６と当接することで断熱扉４の揺動が規制される。本実施例では、断熱扉４は閉塞位置から１００度（開放角度α＝１００度）開放操作した時点でストッパー２５がヒンジ１６と当接して断熱扉４の揺動が規制される。ストッパー２５で揺動が規制された断熱扉４は開放限界位置に保持される。
【００２２】
図４および図５に示すように、断熱扉４を構成する内装板２１には、前面開口３より僅かに小さな外郭形状を有する突出部２８が後方に向かって突出形成されている。突出部２８は、断熱扉４の上下の辺部と平行に伸びる上枠部２９および下枠部３０と、断熱扉４の揺動先端と揺動基端の辺部（左辺部と右辺部）と平行に伸びる先端枠部３１および基端枠部３２とで四角枠状に突出形成されている。各枠部２９〜３２の伸び方向に直交する断面は、内外一対の突出壁３３・３４と、一対の突出壁３３・３４の突出先端同士を連結する連結壁３５とで断面コ字状に形成されている。一対の突出壁３３・３４は突出端側で近接すように傾斜されており、内突出壁３３の傾斜度合いは外突出壁３４の傾斜度合いよりも大きく形成されている。連結壁３５は湾曲や凹み等のない平坦壁で構成されている。図４において符号３６は、内装板２１の板面中央部分を補強するための補強凹部である。
【００２３】
断熱扉４が閉塞位置にあるとき、上記突出部２８は前面開口３から冷蔵室２に進入しており、冷蔵庫本体１と突出部２８とで周回状の狭隘部３９が形成される。具体的には、閉塞位置にある断熱扉４の突出部２８は、その外突出壁３４が冷蔵室２の前面開口３寄りの内壁面４０と小さな隙間を介して正対しており、この外突出壁３４と内壁面４０とに挟まれ、冷蔵室２からマグネットパッキン２４（シール部）に至る空間が狭隘部３９となる。狭隘部３９は突出部２８と冷蔵庫本体１との間に形成された小さな周回状の隙間空間であり、さらに隙間空間の一端がマグネットパッキン２４で閉塞されているので、循環ファン１５によって冷蔵室２内の室内空気が循環している状態でも、狭隘部３９にある庫内空気はほとんど流動しない。これにより、狭隘部３９が空気断熱層のように作用するので、マグネットパッキン２４部分（シール部）における冷蔵室２の内部空気と外気との熱交換が抑制され冷蔵庫の断熱性能が向上する。
【００２４】
上記のように狭隘部３９は空気断熱作用を発揮するので、冷蔵室２からマグネットパッキン２４に至る狭隘部３９の距離が大きいほど断熱性能を向上できる。しかし、突出部２８全体の突出寸法を単に大きくすると、断熱扉４が開放限界位置にあるとき、図１の拡大図に二点鎖線で示すように突出部２８の基端枠部３２が収納物の出し入れ領域Ｒを重複する。そのため、冷蔵室２の右端寄りにおいて収納物を出し入れするとき、あるいは収容物の出し入れ領域Ｒの左右寸法と同程度の幅寸法のトレイや容器を出し入れするときに、突出部２８が邪魔になって収容物の出し入れが困難となる。そこで本実施例では、収納物の出し入れに最も影響を及ぼす基端枠部３２と、影響を及ぼしにくい上下の枠部２９・３０および先端枠部３１の形状を好適化して、収容物の出し入れの容易化と突出部２８による断熱性能向上の両方を満足できるようにした。
【００２５】
詳しくは、収納物の出し入れのときに突出部２８（基端枠部３２）が邪魔になるのを解消するために、平面視における開放限界位置にある断熱扉４の基端枠部３２の突出先端が出し入れ領域Ｒと重複しないように、基端枠部３２の突出寸法Ｔ４が設定されている（図１参照）。しかも、基端枠部３２を除く部分の狭隘部３９の形成長さを長くするために、上下の枠部２９・３０の突出寸法Ｔ１・Ｔ２および先端枠部３１の突出寸法Ｔ３が、基端枠部３２の突出寸法Ｔ４に比べて大きく形成されている（図３参照）。
【００２６】
上枠部２９は、先端枠部３１側に設けられ、突出寸法Ｔ１が一定な直線部４３と、基端枠部３２側に設けられ、直線部４３の一端から基端枠部３２に向かって突出寸法Ｔ１が漸次小さくなる傾斜逃げ部４４とを備えている。下枠部３０も上枠部２９と同様に、先端枠部３１側に設けられ、突出寸法Ｔ２が一定な直線部４３と、基端枠部３２側に設けられ、直線部４３の一端から基端枠部３２に向かって突出寸法Ｔ２が漸次小さくなる傾斜逃げ部４４とを備えている。上下の枠部２９・３０の傾斜逃げ部４４は、断熱扉４を開放限界位置としたときに、平面視で上下の枠部２９・３０が出し入れ領域Ｒと重複することを防ぐことを目的として設けられている。上下の枠部２９・３０は対象形状であり、直線部４３の連結壁３５ａと傾斜逃げ部４４の連結壁３５ｂとは滑らかに連続している。
【００２７】
図１に示すように、直線部４３の連結壁３５ａを延長した仮想延長線Ｅと、傾斜逃げ部４４の連結壁３５ｂとで挟まれる傾斜角度βは、開放角度αから９０度を減じた角度に設定されている。本実施例では、開放角度αは１００度であるので、傾斜角度βは１０度である。なお、傾斜角度βは概ね１０度に設定されていればよく、厳密に同一である必要はない。この種の冷蔵庫においては、ストッパー２５による断熱扉４の開放規制は、９５〜１２０度の開放角度αに設定されることが多い。
【００２８】
先端枠部３１の突出寸法Ｔ３は一定に形成され、先端枠部３１の突出寸法Ｔ３は、上下の枠部２９・３０の直線部４３の突出寸法Ｔ１・Ｔ２と同一に形成されている。また、基端枠部３２の突出寸法Ｔ４は一定に形成され、基端枠部３２の突出寸法Ｔ４は、上下の枠部２９・３０の傾斜逃げ部４４の基端枠部３２側の端部の突出寸法Ｔ５・Ｔ６と同一に形成されている。以上より、額縁状に配置される連結壁３５ａ〜３５ｄのそれぞれの連続部分は段差なく滑らかに連続されている。
【００２９】
プラスチック成型品からなる内装板２１は、プラスチック板材に真空成形を施して形成される。まず、プラスチック板材からなるブランク材の四周縁をチャッキングし、この状態で表裏に配置した加熱装置でブランク材を加熱して軟化させる。ブランク材の加熱が完了したら、プリブローを行いつつ金型を成形位置に移動させ、ブランク材と金型との間の空気をブロワで吸引して、金型表面にブランク材を密着させ成形する。これを冷却し離型したのち、不要部分を除去することで内装板２１が得られる。内装板２１に一体に形成される突出部２８の突出先端である連結壁３５ａ〜３５ｄは、滑らかに連続して段差部がないので、成形時における複雑な塑性変形を解消して破れ等の不具合のリスクを軽減し、成形時の不良発生率を低減できる。なお、内装板２１は真空成形に限らず、一対の金型で形成されるキャビティ内に軟化したプラスチックが加圧充填される射出成形でも形成できる。この場合も軟化プラスチックの流動を妨げる段差部がない分、成形不良が抑制できる。
【００３０】
以上のように、本実施例の冷蔵庫においては、冷蔵庫本体１と協同して周回状の狭隘部３９を形成する突出部２８を、上下の枠部２９・３０と、先端および基端の枠部３１・３２とで四角枠状に形成した。そのうえで、平面視における開放限界位置にある断熱扉４の基端枠部３２の突出先端が出し入れ領域Ｒと重複しないように、基端枠部３２の突出寸法Ｔ４を設定し、しかも上下の枠部２９・３０の突出寸法Ｔ１・Ｔ２および先端枠部３１の突出寸法Ｔ３を、基端枠部３２の突出寸法Ｔ４に比べて大きく設定するようにした。このように、基端枠部３２の突出寸法Ｔ４を、基端枠部３２の突出先端が出し入れ領域Ｒと重複しない寸法に設定すると、収納物の出し入れのときに、突出部２８（基端枠部３２）が邪魔になるのを解消できる。加えて、基端枠部３２の突出寸法Ｔ４に比べて、上下の枠部２９・３０および先端枠部３１の突出寸法Ｔ１・Ｔ２・Ｔ３を大きく形成すると、基端枠部３２を除く部分の狭隘部３９の形成長さを長くして、当該狭隘部３９の空気断熱作用を増強できる。以上のように、本実施例によれば、収納物の出し入れに大きく影響を及ぼす基端枠部３２の突出寸法Ｔ４と、収納物の出し入れに影響を及ぼしにくい上下の枠部２９・３０および先端枠部３１の突出寸法Ｔ１・Ｔ２・Ｔ３とを前記寸法関係に設定して突出部２８の形状を好適化することにより、冷蔵室２に対する収容物の出し入れを容易化しながら、突出部２８による断熱性能の向上を実現できる。
【００３１】
上下の枠部２９・３０に、基端枠部３２に向って突出寸法Ｔ１・Ｔ２が漸次小さくなる傾斜逃げ部４４を設けたので、上下の枠部２９・３０の高さ位置においても、突出部２８（上下の枠部２９・３０）が邪魔になるのを解消して、突出部２８の上下方向の全体にわたって冷蔵室２に対する収容物の出し入れを容易化できる。また、基端枠部３２寄りを四角状に大きく切欠いて、上下の枠部２９・３０が出し入れ領域Ｒと重複するのを防ぐ場合に比べて、傾斜逃げ部４４で狭隘部３９を形成できる分、断熱性能の向上を図ることができる。
【００３２】
各枠部２９〜３２の断面は、内外一対の突出壁３３・３４と、一対の突出壁３３・３４の突出先端同士を連結する平坦壁からなる連結壁３５とで断面コ字状に形成し、上枠部２９および下枠部３０は、先端枠部３１側に設けられ、突出寸法Ｔ１・Ｔ２が一定な直線部４３と、基端枠部３２側に設けられ、直線部４３の一端から基端枠部３２に向かって突出寸法Ｔ１・Ｔ２が漸次小さくなる傾斜逃げ部４４とを備える対称形状に形成した。そのうえで、傾斜逃げ部４４の基端枠部３２側の端部の突出寸法Ｔ５・Ｔ６と、基端枠部３２の突出寸法Ｔ４とを同一に形成し、各傾斜逃げ部４４の連結壁３５ｂと基端枠部３２の連結壁３５ｄとを滑らかに連続するようにしたので、各傾斜逃げ部４４と基端枠部３２との連続部分に段差が形成されるのを解消して、断熱扉４近傍における冷蔵室２への収納物の出し入れをスムーズに行うことができる。
【００３３】
直線部４３の連結壁３５ａを延長した仮想延長線Ｅと、傾斜逃げ部４４の連結壁３５ｂとで挟まれる傾斜角度βを、開放角度αから９０度を減じた角度に設定したので、断熱扉４を開放限界位置にしたときの平面視において、傾斜逃げ部４４の連結壁３５ｂの伸び方向と冷蔵庫本体１の前後方向とを略平行にできる。これにより、基端枠部３２の突出寸法Ｔ４を基端枠部３２の突出先端が出し入れ領域Ｒと重複する寸法よりも僅かに小さい寸法に設定した場合に、上下の枠部２９・３０が出し入れ領域Ｒと重複するのを確実に回避しつつ、傾斜逃げ部４４の逃がし度合いを最小化できるので、上下の枠部２９・３０と冷蔵庫本体１とでより大きな狭隘部３９を形成して断熱性能のさらなる向上を図ることができる。
【００３４】
上記の実施例では冷蔵庫を挙げたが、本発明は冷凍庫、保冷庫、保温庫、温蔵庫等の貯蔵庫にも適用できる。上下の枠部２９・３０の直線部４３の突出寸法Ｔ１・Ｔ２と、先端枠部３１の突出寸法Ｔ３とは同一である必要はない。この場合には、上下の枠部２９・３０と先端枠部３１との連続部分は例えば傾斜逃げ部で滑らかに連続されることが望ましい。傾斜逃げ部４４の連結壁３５ｂ（３５）は、横断面形状が外突湾曲状あるいは内凹み湾曲状であってもよい。
【符号の説明】
【００３５】
１  貯蔵庫本体（冷蔵庫本体）
２  貯蔵室（冷蔵室）
３  前面開口
４  断熱扉
６  本体前面
１６  ヒンジ
２４  マグネットパッキン
２５  ストッパー
２８  突出部
２９  上枠部
３０  下枠部
３１  先端枠部
３２  基端枠部
３３  内突出壁
３４  外突出壁
３５  連結壁
３５ａ  直線部の連結壁
３５ｂ  傾斜逃げ部の連結壁
３５ｃ  先端枠部の連結壁
３５ｄ  基端枠部の連結壁
３９  狭隘部
４３  直線部
４４  傾斜逃げ部
Ｅ  仮想延長線
Ｒ  出し入れ領域
Ｔ１・Ｔ２  上下の枠部の突出寸法
Ｔ３  先端枠部の突出寸法
Ｔ４  基端枠部の突出寸法
α  開放角度
β  傾斜角度
【図１】
2020176731.tif 000003
【図２】
2020176731.tif 000004
【図３】
2020176731.tif 000005
【図４】
2020176731.tif 000006
【図５】
2020176731.tif 000007